(57)【要約】【課題】ブックマークとして機能するＷｅｂページ自体の画像を３次元空間に様々なレイアウトを用いたユーザインタフェースを提供し、Ｗｅｂブラウジングを支援するための閲覧履歴表示機能、マーカー機能、検索機能、および先読み機能を実現し、この結果、人間本来の認識において、だれでも簡単に直感でブックマークを扱うことができ、Ｗｅｂブラウジングを効果的に行うことができる【解決手段】Ｗｅｂブラウザのブックマークを解析することにより、ブックマークのＷｅｂページのタイトルとＵＲＬを抜き出し、ＷｅｂページのＵＲＬを用いてＷＷＷへＷｅｂページのアクセスを行い、Ｗｅｂページ自体を画像に変換し、３次元空間内へ様々なレイアウトに基づいてＷｅｂページを表示する。閲覧履歴表示機能はブックマークと同様の手法を用いて閲覧履歴にあるＷｅｂページを表示させ、マーカー機能は３次元空間上にメモの画像をＷｅｂページに貼付け、検索機能はＷｅｂページ自体から検索した結果を提供し、先読み機能はＷｅｂページのリンクを抽出して、予めリンク先のＷｅｂページを読み込んでおく。【選択図】図１
2005242964.tif 000002
【特許請求の範囲】
【請求項１】
Ｗｅｂブラウザのブックマーク内に保存されているＷｅｂページを、タイトルとＵＲＬだけでなく、
３次元空間内へＷｅｂページ自体を表示することを特徴とするＷｅｂブラウジングのための支援システム。
【請求項２】
前記Ｗｅｂページの情報を取得した後の３次元空間内へＷｅｂページ自体を表示する際、Ｂｏｏｋレイアウト、Ｃｉｒｃｌｅレイアウト、Ｄｉｃｅレイアウトを利用した表示を行うようになっている請求項１に記載のＷｅｂブラウジングのための支援システム。
【請求項３】
前記ブックマーク内に保存されているＷｅｂページへアクセスし、Ｗｅｂページ自体を画像として取得するようになっている請求項１に記載のＷｅｂブラウジングのための支援システム。
【請求項４】
ユーザを補助し、３次元空間に表示されているＷｅｂページを透明化する機能、３次元空間内へ閲覧履歴にあるＷｅｂページを表示する３次元閲覧履歴表示機能、３次元空間内に表示されているＷｅｂページへメモを貼付けるマーカー機能、Ｗｅｂページの内容から検索する検索機能、及び予めリンク先のＷｅｂページを読み込んでおく先読み機能を有したＷｅｂブラウザ閲覧支援システム。
【請求項５】
前記３次元空間に表示されているＷｅｂページを透明化する際、
すべてのＷｅｂページ自体の画像へアルファ値を設定し、ユーザからの要求があった際にアルファ値を基にＷｅｂページを透明化する特徴をもつ請求項４記載のＷｅｂブラウザ閲覧支援システム。
【請求項６】
前記３次元空間内へ閲覧履歴にあるＷｅｂページを表示する際、
閲覧履歴内のＷｅｂページを、Ｗｅｂ検索エンジンの検索結果、ドメイン名、時系列、及びタイトルを基準としてソートできる請求項４記載のＷｅｂブラウザ閲覧支援システム。
【請求項７】
前記閲覧履歴のＷｅｂ検索エンジンの検索結果におけるソートの際、検索時のキーワードをタイトルとして、検索結果のＷｅｂページと、検索結果から直接閲覧したページを１つのグループとして表示するようにしたことを特徴とする請求項４または６記載のＷｅｂブラウザ閲覧支援システム。
【請求項８】
前記３次元空間に表示されているＷｅｂページへメモを貼付ける際、
入力したメモを画像変換し、Ｗｅｂページを３次元空間内に貼付け、対象とするＷｅｂページとの座標関係を保つ特徴を備えている請求項４記載のＷｅｂブラウザ閲覧支援システム。
【請求項９】
前記Ｗｅｂページの内容から検索する際、
検索するキーワードと、ブックマークと閲覧履歴にあるＷｅｂページのＵＲＬを検索サイトに渡し、検索結果を３次元空間内へ表示する特徴をもつ請求項４記載のＷｅｂブラウザ閲覧支援システム。
【請求項１０】
前記予めリンク先のＷｅｂページを読み込んでおく際、
Ｗｅｂページのソースコードから＜Ａ＞タグを解析し、Ｗｅｂページにあるリンク先を抽出し、３次元空間内へリンク先のＷｅｂページを表示する特徴を持つ請求項４記載のＷｅｂブラウザ閲覧支援システム。
【請求項１１】
あらゆるＷｅｂブラウザに対応できることを実現し、Ｗｅｂブラウザ間のブックマークと閲覧履歴の共有を可能とすることを特徴とするＷｅｂブラウジング支援プログラム。
【発明の詳細な説明】
【技術分野】
【０００１】本発明は、Ｗｅｂブラウジングサポートシステム、ブックマークおよびＷｅｂブラウジングにおけるユーザの支援に関する。
【背景技術】
【０００２】インターネットの普及により、ＷＷＷには膨大な情報が存在し、ＷＷＷ上の膨大な情報へアクセスし取得するシステムとしてＷｅｂブラウザがある。Ｗｅｂブラウザの発展により、効率的なＷｅｂブラウジング行えるようになってきた。【０００３】しかし、Ｗｅｂブラウザの代表的な機能であるブックマークはＷｅｂページのタイトルとＵＲＬのみのリスト表示であり、Ｗｅｂブラウジングを行うための十分なユーザインターフェースを備えているとは言えない。ブックマークのテキストによるリスト表示方法では、ページの内容を忘れてしまった場合には、以下のような作業を想定することができる。【０００４】１．ブックマークの中から忘れてしまったＷｅｂページを選択し、そのＷｅｂページへア    クセスする。【０００５】２．アクセスしたＷｅｂページを吟味する。【０００６】３。もし、自分の探していたＷｅｂページでなければ、再びブックマークの中から求めるＷｅｂページを探す。【０００７】ユーザの求めるＷｅｂページに到達するまで、上記の１、２、３を繰り返す。このようなユーザの負担を減らすことにより、Ｗｅｂブラウジングの効率を上げる支援システムの開発が求められている。【０００８】一方、Ｗｅｂブラウジングを支援する従来の研究として、以下のものがある。ブックマークを得るまでの過程を重要視し、閲覧履歴のＷｅｂページとブックマークのＷｅｂページを比較することによって、ブックマークのＷｅｂページへランキングなどのメタデータを添付したコンテクスト依存型ブックマークがある。（中島伸介、黒田慎介、田中克己、“閲覧履歴を反映したコンテクスト依存型Ｗｅｂブックマーク”、情報処理学会シンポジウムシリーズＶｏｌ２００１、Ｎｏ．１７、ｐｐ２０１−２０８）。しかしながら、Ｗｅｂページの内容を忘れている場合、Ｗｅｂページを思い出すためには不十分である。つまり、Ｗｅｂページがどんなものであったのか思い出すことができない場合がある。
【特許文献１】特許公開２００２−１３２８２８
【発明の開示】
【発明が解決しようとする課題】
【０００９】現状のＷｅｂブラウザのブックマークはリスト表示によるユーザインターフェースである。リスト表示は、計算機での実現を簡易にするための技術であるので、人間であるユーザにとって扱いづらい。【００１０】ブックマークに登録しているＷｅｂページの数が膨大になると、リスト表示ではユーザが求めるＷｅｂページを探すのに大変時間がかかり、もし、求めるＷｅｂページと違っていた場合、再度探し出さなければいけない。【００１１】本発明は上述にある課題よりなされたものであり、本発明では、現状のブックマークのリスト表示によるユーザインターフェースを改善し、様々な機能を付与することによってＷｅｂブラウジングを効率よく行えることをユーザへ提供することが目的である。
【課題を解決するための手段】
【００１２】請求項１のＷｅｂブラウジングのための支援システムは、既存のＷｅｂブラウザからブックマークにあるＷｅｂページタイトルとＵＲＬを取得し、そのＷｅｂページの情報を基にＷＷＷ上よりＷｅｂページを取得した後、Ｗｅｂページを画像へ変換し３次元空間内に変換したＷｅｂページの画像を表示することによって達成される。【００１３】請求項１のＷｅｂブラウジングのための支援システムは、Ｗｅｂページ自体を画像へ変換するＷｅｂページ変換モジュール、様々な情報を取得するデータ取得モジュール、３次元空間へ表示を行うリスト表示モジュール、Ｗｅｂページの情報とＷｅｂページ自体の画像を保存しておくデータベースから構成されている。Ｗｅｂページ変換モジュールはデータベースにＷｅｂブラウザのブックマークのデータがあると認識すると、データペースからＷｅｂページのタイトルとＵＲＬを取得し、ＷＷＷへＷｅｂページ取得の要求を行い、Ｗｅｂページ変換モジュールは、取得したＷｅｂページをＷｅｂページ変換モジュールが内部に保持しているＨＴＭＬを解析しＷｅｂページを表示することができ、ユーザからは見ることができない仮想のＶｉｅｗｅｒに表示させ、Ｗｅｂページ自体を画像へ変換し、画像をデータベースへ格納する。データ取得モジュールはＷｅｂブラウザのブックマークと閲覧履歴、またはデータベースから、情報を取得および格納する。リスト表示モジュールは、データ取得エージェントから送られてきブックマークのリストを基に、データベースへアクセスし、ブックマークに登録されているＷｅｂページ自体の画像を取得し、３次元空間を構築した後に、送られてきたリストとＷｅｂページ自体の画像をレイアウトに基づいて３次元空間上へ表示を行うことで実現している。【００１４】３次元空間内へＷｅｂページを表示する扱いやすいユーザインターフェースを実現するために、請求項２に記載の３つのレイアウトがある。Ｂｏｏｋレイアウトは、本のメタファを用いており、ユーザに現実世界で本を見るかのように扱えることを実現する。Ｃｉｒｃｌｅレイアウトは、３次元空間の中心を原点として、円を描いており、ブックマークで同じカテゴリに分類されているものを表示するのに適している。Ｄｉｃｅレイアウトは、立方体で構成し、各面をＷｅｂページで配置することで実現する。【００１５】３次元空間へＷｅｂページを表示するために、請求項３に記載のＷｅｂページへアクセスしてＷｅｂページ自体を画像として保持することにより、タイトルとＵＲＬだけでなくＷｅｂページ自体を表示することを達成した。【００１６】ユーザを補助するために、請求項４に記載のＷｅｂブラウザ閲覧支援システムはＷｅｂページを透明化させる機能、閲覧履歴を３次元空間内に表示させる機能、３次元空間に表示されているＷｅｂページ上へメモを貼付ける機能、Ｗｅｂページの内容から検索する機能、予めリンク先のＷｅｂページを読み込む機能を有することで達成した。【００１７】請求項５によるＷｅｂブラウザ閲覧支援システムは、Ｗｅｂページの透明可により、ユーザがＷｅｂブラウジングしている場合において、Ｗｅｂページを透明化することで、Ｗｅｂブラウザの邪魔になることを防ぐことを特徴とするシステムを達成した。【００１８】ユーザのＷｅｂブラウジングを支援するために、請求項６におけるＷｅｂブラウザ閲覧支援システムは、Ｗｅｂブラウザの閲覧履歴を読み込み、ブックマークと同様にＷｅｂページを３次元空間に表示することで実現する。その際、３次元閲覧履歴表示機能には、請求項７におけるＷｅｂ検索エンジンの検索結果、ドメイン名、時系列、タイトルを基準としたソートを設けることによって膨大な閲覧履歴の中からＷｅｂページを探す時間を大幅に短縮することを達成する。【００１９】ユーザのＷｅｂブラウジングを支援するために、請求項８におけるＷｅｂブラウザ閲覧支援システムは、Ｗｅｂページを３次元空間上に表示されているＷｅｂページに対して入力されたメモを画像へ変換し貼付ける。貼付けた画像は、対象とするＷｅｂページとの座標関係を維持することによってＷｅｂブラウザ閲覧支援システムを達成する。【００２０】ユーザのＷｅｂブラウジングを支援するために、請求項９におけるＷｅｂブラウザ閲覧支援システムは、Ｗｅｂブラウザのブックマークおよび閲覧履歴から求めるＷｅｂページを検索する際、タイトルとＵＲＬだけからではなく、Ｗｅｂページの内容からも、ＷｅｂページのＵＲＬを検索キーワードとして検索サイトに渡し、検索を行い、検索結果を３次元空間へ表示することで、達成する。【００２１】ユーザのＷｅｂブラウジングを支援するために、請求項１０におけるＷｅｂブラウザ閲覧支援システムは、予めＷｅｂページにあるリンクを抽出し、抽出したリンク先を読み込んで、Ｗｅｂページを請求項３によってＷｅｂページ自体を画像へ変換し、ユーザからの要求を確認し次第、ユーザへ先読みしたＷｅｂページを３次元空間に表示することによって達成する。【００２２】Ｗｅｂブラウジングの支援のために、請求項１１におけるＷｅｂブラウジング支援プログラムは、Ｗｅｂブラウザとシステムを独立して作成することにより、どんなＷｅｂブラウザにも対応を可能とし、複数のＷｅｂブラウザ間において、ブックマークおよび閲覧履歴の共有を可能とするものを特徴とすることにより達成する。
【発明の効果】
【００２３】以上の説明のように本発明によれば、３次元空間内にＷｅｂページを表示することによって、Ｗｅｂブラウジングを行う際、ブックマークに登録されているＷｅｂページがどんな内容であったのか、Ｗｅｂへアクセスする必要なく、確認することができ、より効果的にユーザはＷｅｂブラウジングを行うことができる。【００２４】また、本発明では、３次元空間にＷｅｂページを表示する際、Ｂｏｏｋレイアウト、Ｃｉｒｃｌｅレイアウト、Ｄｉｃｅレイアウトを用いることによって、３次元空間内におけるＷｅｂページの配置を考慮することで、ユーザにとって、より使いやすく、楽しいユーザインターフェースを提供することができる。【００２５】さらに、本発明では、ユーザのＷｅｂブラウジングを支援するためのＷｅｂページを透明にする機能、閲覧履歴を３次元表示する機能、３次元表示されているＷｅｂページへメモを貼付ける機能、予めＷｅｂページのリンク先を読み込んでおく機能を有することにより、より効果的なＷｅｂブラウジングを支援することを可能とする。【００２６】加えて、本発明において、Ｗｅｂブラウザと独立することで、あらゆるＷｅｂブラウザにも対応することを可能とし、複数のＷｅｂブラウザ間において、ブックマークおよび閲覧履歴の共有を可能として、どんなユーザに対しても応じることが可能になる。
【発明を実施するための最良の形態】
【００２７】ブックマークによるＷｅｂブラウジング支援として、ＷＷｅｂ用のシステムとして実施した。【００２８】Ｗｅｂブラウザのブックマークから自分の求める情報が存在するＷｅｂページを探す場合には、ブックマークに登録されているＷｅｂページの中からリスト表示によるユーザインターフェースで探し出さなければならず、Ｗｅｂページの内容がどんなものであったのか思い出すことが困難である場合がある。そのため、本発明では、請求項１に記載されているブックマークにあるＷｅｂページを３次元空間へ表示させることによって、ブックマークにあるＷｅｂページがどんなものであったのか簡単に思い出すことを可能とするシステムを構築した。【００２９】本発明は、Ｗｅｂページ自体を３次元空間内において確認することが可能であり、図１は実際に請求項２に記載のＢｏｏｋレイアウトを用いて３次元空間にＷｅｂページを配置したスクリーンショットを示している。図１のＷｅｂページ１０〜１５は請求項３によって取得されたＷｅｂページ自体の画像を表示している。図２は請求項２に記載のＣｉｒｃｌｅレイアウトを用いた３次元表示例であり、Ｗｅｂページ２１〜２８は請求項３により取得されるＷｅｂページ自体の画像である。図３は請求項２に記載のＤｉｃｅレイアウトを用いた３次元表示例であり、Ｗｅｂページ３１〜３３は請求項３により取得されるＷｅｂページ自体の画像を示している。【００３０】本実施形態における構成を図４に示す。図４においてユーザは計算機を所持しており、計算機の内部には、本発明とＷｅｂブラウザによるＷｅｂブラウジングを行う環境が整っている。【００３１】図５はユーザが操作している実行例を示しており、まず、ユーザは３次元空間に表示されているブックマーク中のＷｅｂページ５１〜５６から求めるＷｅｂページを選択し、対象とするＷｅｂページをダブルクリックするとＯＳでデフォルトとして設定されているＷｅｂブラウザ５０を起動させ、選択したＷｅｂページへアクセスを行い、表示する。【００３２】図６は請求項５に記載の３次元空間上のＷｅｂページ６１〜６６を透明にしてＷｅｂブラウザ６０を用いてＷｅｂブラウザングを行っている実行例を示している。図６のようにＷｅｂページを透明にすることによって、Ｗｅｂブラウザに対しての妨げになることを防ぐことができる。【００３３】図７は本発明のシステムの構成を示している。【００３４】まず、ユーザ７０はＷｅｂブラウザング支援システム７７へブックマークの表示要求を行う。表示要求を受けたＷｅｂブラウジング支援システム７７は、データ取得モジュール７２を用いてＷｅｂブラウザ７５からブックマークのデータを取得し、データベース７４に格納する。データベース７４にブックマークのデータがあると確認すると、Ｗｅｂページ変換モジュール７１を用いてデータベース７４にあるブックマークのＷｅｂページのタイトルとＵＲＬを抜き出し、抜き出したＷｅｂページの情報を基にして、ＷＷＷ７５へＷｅｂページの取得要求をだし、Ｗｅｂページを取得した後、Ｗｅｂページ自体を画像へ変換して、データベース７４へ画像を格納する。次にデータ取得モジュール７２にブックマークのデータとＷｅｂページ自体の画像をリスト表示モジュール７３に送り、リスト表示モジュール７３は受け取ったデータを基にして、構築した３次元空間上にＷｅｂページを配置し、ユーザ７０へ提示を行う。リスト表示モジュール７３は、Ｗｅｂページ自体を表示する３次元空間をＯｐｅｎＧＬを用いて構築し、ブックマークのリストデータと、Ｗｅｂページの画像に基づいて３次元表示を行う。３次元表示を行う際にすべてのＷｅｂページにアルファ値を設定することによって上記のＷｅｂページの透明化を実現している。【００３５】図８はＸＭＬ（ｅＸｔｅｎｓｉｂｌｅ  Ｍａｒｋｕｐ  Ｌａｎｇｕａｇｅ）で管理されているデータベース７４の一例であり、データベース７４はブックマークにあるＷｅｂページのデータと、Ｗｅｂページ変換モジュールによって得られるＷｅｂページ自体の画像を保持している。図８の〈ｋｅｙ〉タグはＵＲＬは一意であるとして、ＵＲＬを組み込み、〈ｔｉｔｌｅ〉タグで囲まれた行はＷｅｂページのタイトルを表す。【００３６】請求項６または７に記載の３次元閲覧履歴表示機能はＷｅｂブラウザの閲覧履歴情報を読み込み、ブックマーク同様に３次元空間にＷｅｂページを配置する。閲覧履歴は膨大な数になるたけ、本機能には、ソート機能によってユーザにとって分かりやすいインターフェースを実現し、ソートの基準としてＷｅｂ検索エンジンの検索結果、ドメイン名、時系列、及びタイトルがある。【００３７】請求項７に記載のＷｅｂ検索エンジンの検索結果によるソートとは、検索時のキーワードをタイトルとし、検索結果のページと、検索結果から直接閲覧したページを、１つのグループとして表示するものであり、すなわち、過去に検索エンジンを利用して、興味のあるＷｅｂページにたどり着いた履歴を順に閲覧することを可能とする。図９は、ユーザが検索サイトへ“ＭＡＣ”をキーワードとした検索結果のＷｅｂページと、検索結果から、リンクを辿っていったＷｅｂページを表示した実行例である。図９のＷｅｂページ９０〜９５は９０から最近閲覧したＷｅｂページをユーザへ提示している【００３８】ドメイン名によるソートは、閲覧履歴をドメイン名ごとに再構築して表示する。Ｗｅｂページはドメイン名の階層ごとに管理されているので、ドメイン名によるソートによって、Ｗｅｂサイト内のどこを閲覧したか容易に確認できる。時系列、及びタイトルによるソートは、既存のソート手法にあるように、新しい順、古い順、及びアルファベット順に並び替えるものである。また、閲覧履歴からブックマークへ、Ｗｅｂページを登録したい場合、閲覧履歴のページをドラッグ＆ドロップによりブックマークへ追加することが可能である。【００３９】図１０は請求項８に記載の３次元空間上へメモを貼付けた実行例であり、Ｗｅｂページ１００〜１０５上へマーカー１０６を貼付けることによって、Ｗｅｂページの内容を把握する助けになることを可能としている。【００４０】図１１は、請求項９に記載のブックマークの検索時の実行画面であり、図１１の上のウィンドウが検索要求ウィンドウ１１０で、図１１の下のウィンドウが検索結果の画面であり、検索結果のＷｅｂページ１１１〜１１６を表示する。検索時のオプションとして、小／大文字を無視する、折り返す、前を検索、ブックマークを��索、閲覧履歴を検索等、がある。検索手法は、与えられたキーワードとブックマーク若しくは、閲覧履歴にあるＷｅｂページを検索サイトに渡すことによって検索結果を得て、得た検索結果を３次元空間に表示する。【００４１】図１２は、請求項１０に記載のＷｅｂブラウザ１２０上のＷｅｂページのリンク先を抽出し３次元空間上に抽出したＷｅｂページ１２１〜１２６を表示した例である。この機能は、Ｗｅｂページのソースコードから＜Ａ＞タグを解析し、＜Ａ＞タグで囲まれた部分からＷｅｂページにあるリンク先のＵＲＬを抽出し、抽出したＵＲＬのＷｅｂページにアクセスして、Ｗｅｂページ変換モジュール１１にＷｅｂページ自体の画像変換を要求する。画像をデータベースへ格納して、ユーザから先読みの要求を受けると、３次元空間に先読みしたＷｅｂページ自体の画像を表示する。【００４２】本発明は、請求項１１に記載、Ｗｅｂブラウザと独立しているため、Ｗｅｂブラウザに依存することなく使用することができ、システムに予め代表的なＷｅｂブラウザに対するラッパーを備えており、一方、システムに用意されていないＷｅｂブラウザと対応させるためには、Ｗｅｂブラウザに対するラッパーを本システムへ追加することで可能となる。複数のＷｅｂブラウザを扱う際、本発明により複数のＷｅｂブラウザ間のブックマークと閲覧履歴の共有が可能となる。
【産業上の利用可能性】
【００４３】Ｗｅｂアプリケーションと連携することにより、より良いＷｅｂアプリケーションを提供することが可能となる。ここでいうＷｅｂアプリケーションとは店舗選択支援、図書推薦、論文選択支援といったＷｅｂを利用した推薦システムのことを示し、これらの推薦システムは、推薦する情報があるＷｅｂページのリンクを示すが、リンク先のＷｅｂページがわからず、確認する毎にＷｅｂページへアクセスしなくてはならず、本発明と組み合わせることで、リンク先のＷｅｂページが確認でき、推薦された情報を比較・検討しながら調べることを可能とするシステムを提供することができる。
【図面の簡単な説明】
【図１】Ｂｏｏｋレイアウトによるブックマークの３次元表示例
【図２】Ｃｉｒｃｌｅレイアウトによるブックマークの３次元表示例
【図３】Ｄｉｃｅレイアウトによるブックマークの３次元表示例
【図４】本実施形態図
【図５】ユーザの操作例
【図６】Ｗｅｂページの透明化例
【図７】本システムの構成図
【図８】データベースの一例
【図９】ソートした閲覧履歴の一部
【図１０】マーカーの添付例
【図１１】検索実行画面
【図１２】先読み実行例
【符号の説明】
７０  ユーザ
７１  Ｗｅｂページ変換モジュール
７２  データ取得モジュール
７３  リスト表示モジュール
７４  データベース
７５  ＷＷＷ
７６  Ｗｅｂブラウザ
７７  Ｗｅｂブラウジング支援システム
【図１】
2005242964.tif 000003
【図２】
2005242964.tif 000004
【図３】
2005242964.tif 000005
【図４】
2005242964.tif 000006
【図５】
2005242964.tif 000007
【図６】
2005242964.tif 000008
【手続補正書】
【提出日】平成16年4月23日(2004.4.23)
【手続補正２】
【補正対象書類名】明細書
【補正対象項目名】全文
【補正方法】変更
【補正の内容】
【発明の詳細な説明】
【技術分野】
【０００１】本発明は、Ｗｅｂブラウジングサポートシステム、ブックマークおよびＷｅｂブラウジングにおけるユーザの支援に関する。
【背景技術】
【０００２】インターネットの普及により、ＷＷＷには膨大な情報が存在し、ＷＷＷ上の膨大な情報へアクセスし取得するシステムとしてＷｅｂブラウザがある。Ｗｅｂブラウザの発展により、効率的なＷｅｂブラウジングが行えるようになってきた。【０００３】しかし、Ｗｅｂブラウザの代表的な機能であるブックマークはＷｅｂページのタイトルとＵＲＬのみのリスト表示であり、Ｗｅｂブラウジングを行うための十分なユーザインターフェースを備えているとは言えない。ブックマークのテキストによるリスト表示方法では、ページの内容を忘れてしまった場合には、以下のような作業を想定することができる。【０００４】１．ブックマークの中から忘れてしまったＷｅｂページを選択し、そのＷｅｂページへアクセスする。【０００５】２．アクセスしたＷｅｂページを吟味する。【０００６】３。もし、自分の探していたＷｅｂページでなければ、再びブックマークの中から求めるＷｅｂページを探す。【０００７】ユーザの求めるＷｅｂページに到達するまで、上記の１、２、３を繰り返す。このようなユーザの負担を減らすことにより、Ｗｅｂブラウジングの効率を上げる支援システムの開発が求められている。【０００８】一方、Ｗｅｂブラウジングを支援する従来の研究として、以下のものがある。ブックマークを得るまでの過程を重要視し、閲覧履歴のＷｅｂページとブックマークのＷｅｂページを比較することによって、ブックマークのＷｅｂページへランキングなどのメタデータを添付したコンテクスト依存型ブックマークがある。（中島伸介、黒田慎介、田中克己、“閲覧履歴を反映したコンテクスト依存型Ｗｅｂブックマーク”、情報処理学会シンポジウムシリーズＶｏｌ２００１、Ｎｏ．１７、ｐｐ２０１−２０８）。しかしながら、Ｗｅｂページの内容を忘れている場合、Ｗｅｂページを思い出すためには不十分である。つまり、Ｗｅｂページがどんなものであったのか思い出すことができない場合がある。
【特許文献１】特許公開２００２−１３２８２８
【発明の開示】
【発明が解決しようとする課題】
【０００９】現状のＷｅｂブラウザのブックマークはリスト表示によるユーザインターフェースである。リスト表示は、計算機での実現を簡易にするための技術であるので、人間であるユーザにとって扱いづらい。【００１０】ブックマークに登録しているＷｅｂページの数が膨大になると、リスト表示ではユーザが求めるＷｅｂページを探すのに大変時間がかかり、もし、求めるＷｅｂページと違っていた場合、再度探し出さなければいけない。【００１１】本発明は上述にある課題よりなされたものであり、本発明では、現状のブックマークのリスト表示によるユーザインターフェースを改善し、様々な機能を付与することによってＷｅｂブラウジングを効率よく行えることをユーザへ提供することが目的である。
【課題を解決するための手段】
【００１２】請求項１のＷｅｂブラウジングのための支援システムは、既存のＷｅｂブラウザからブックマークにあるＷｅｂページタイトルとＵＲＬを取得し、そのＷｅｂページの情報を基にＷＷＷ上よりＷｅｂページを取得した後、Ｗｅｂページを画像へ変換し３次元空間内に変換したＷｅｂページの画像を表示することによって達成される。【００１３】請求項１のＷｅｂブラウジングのための支援システムは、Ｗｅｂページ自体を画像へ変換するＷｅｂページ変換モジュール、様々な情報を取得するデータ取得モジュール、３次元空間へ表示を行うリスト表示モジュール、Ｗｅｂページの情報とＷｅｂページ自体の画像を保存しておくデータベースから構成されている。Ｗｅｂページ変換モジュールはデータベースにＷｅｂブラウザのブックマークのデータがあると認識すると、データペースからＷｅｂページのタイトルとＵＲＬを取得し、ＷＷＷへＷｅｂページ取得の要求を行い、Ｗｅｂページ変換モジュールは、取得したＷｅｂページをＷｅｂページ変換モジュールが内部に保持しているＨＴＭＬを解析しＷｅｂページを表示することができ、ユーザからは見ることができない仮想のＶｉｅｗｅｒに表示させ、Ｗｅｂページ自体を画像へ変換し、画像をデータベースへ格納する。データ取得モジュールはＷｅｂブラウザのブックマークと閲覧履歴、またはデータベースから、情報を取得および格納する。リスト表示モジュールは、データ取得エージェントから送られてきブックマークのリストを基に、データベースへアクセスし、ブックマークに登録されているＷｅｂページ自体の画像を取得し、３次元空間を構築した後に、送られてきたリストとＷｅｂページ自体の画像をレイアウトに基づいて３次元空間上へ表示を行うことで実現している。【００１４】３次元空間内へＷｅｂページを表示する扱いやすいユーザインターフェースを実現するために、請求項２に記載の３つのレイアウトがある。Ｂｏｏｋレイアウトは、本のメタファを用いており、ユーザに現実世界で本を見るかのように扱えることを実現する。Ｃｉｒｃｌｅレイアウトは、３次元空間の中心を原点として、円を描いており、ブックマークで同じカテゴリに分類されているものを表示するのに適している。Ｄｉｃｅレイアウトは、立方体で構成し、各面をＷｅｂページで配置することで実現する。【００１５】３次元空間へＷｅｂページを表示するために、請求項３に記載のＷｅｂページへアクセスしてＷｅｂページ自体を画像として保持することにより、タイトルとＵＲＬだけでなくＷｅｂページ自体を表示することを達成した。【００１６】ユーザを補助するために、請求項４に記載のＷｅｂブラウザ閲覧支援システムはＷｅｂページを透明化させる機能、閲覧履歴を３次元空間内に表示させる機能、３次元空間に表示されているＷｅｂページ上へメモを貼付ける機能、Ｗｅｂページの内容から検索する機能、予めリンク先のＷｅｂページを読み込む機能を有することで達成した。【００１７】請求項５によるＷｅｂブラウザ閲覧支援システムは、Ｗｅｂページの透明可により、ユーザがＷｅｂブラウジングしている場合において、Ｗｅｂページを透明化することで、Ｗｅｂブラウザの邪魔になることを防ぐことを特徴とするシステムを達成した。【００１８】ユーザのＷｅｂブラウジングを支援するために、請求項６におけるＷｅｂブラウザ閲覧支援システムは、Ｗｅｂブラウザの閲覧履歴を読み込み、ブックマークと同様にＷｅｂページを３次元空間に表示することで実現する。その際、３次元閲覧履歴表示機能には、請求項７におけるＷｅｂ検索エンジンの検索結果、ドメイン名、時系列、タイトルを基準としたソートを設けることによって膨大な閲覧履歴の中からＷｅｂページを探す時間を大幅に短縮することを達成する。【００１９】ユーザのＷｅｂブラウジングを支援するために、請求項８におけるＷｅｂブラウザ閲覧支援システムは、Ｗｅｂページを３次元空間上に表示されているＷｅｂページに対して入力されたメモを画像へ変換し貼付ける。貼付けた画像は、対象とするＷｅｂページとの座標関係を維持することによってＷｅｂブラウザ閲覧支援システムを達成する。【００２０】ユーザのＷｅｂブラウジングを支援するために、請求項９におけるＷｅｂブラウザ閲覧支援システムは、Ｗｅｂブラウザのブックマークおよび閲覧履歴から求めるＷｅｂページを検索する際、タイトルとＵＲＬだけからではなく、Ｗｅｂページの内容からも、ＷｅｂページのＵＲＬを検索キーワードとして検索サイトに渡し、検索を行い、検索結果を３次元空間へ表示することで、達成する。【００２１】ユーザのＷｅｂブラウジングを支援するために、請求項１０におけるＷｅｂブラウザ閲覧支援システムは、予めＷｅｂページにあるリンクを抽出し、抽出したリンク先を読み込んで、Ｗｅｂページを請求項３によってＷｅｂページ自体を画像へ変換し、ユーザからの要求を確認し次第、ユーザへ先読みしたＷｅｂページを３次元空間に表示することによって達成する。【００２２】Ｗｅｂブラウジングの支援のために、請求項１１におけるＷｅｂブラウジング支援プログラムは、Ｗｅｂブラウザとシステムを独立して作成することにより、どんなＷｅｂブラウザにも対応を可能とし、複数のＷｅｂブラウザ間において、ブックマークおよび閲覧履歴の共有を可能とするものを特徴とすることにより達成する。
【発明の効果】
【００２３】以上の説明のように本発明によれば、３次元空間内にＷｅｂページを表示することによって、Ｗｅｂブラウジングを行う際、ブックマークに登録されているＷｅｂページがどんな内容であったのか、Ｗｅｂへアクセスする必要なく、確認することができ、より効果的にユーザはＷｅｂブラウジングを行うことができる。【００２４】また、本発明では、３次元空間にＷｅｂページを表示する際、Ｂｏｏｋレイアウト、Ｃｉｒｃｌｅレイアウト、Ｄｉｃｅレイアウトを用いることによって、３次元空間内におけるＷｅｂページの配置を考慮することで、ユーザにとって、より使いやすく、楽しいユーザインターフェースを提供することができる。【００２５】さらに、本発明では、ユーザのＷｅｂブラウジングを支援するためのＷｅｂページを透明にする機能、閲覧履歴を３次元表示する機能、３次元表示されているＷｅｂページへメモを貼付ける機能、予めＷｅｂページのリンク先を読み込んでおく機能を有することにより、より効果的なＷｅｂブラウジングを支援することを可能とする。【００２６】加えて、本発明において、Ｗｅｂブラウザと独立することで、あらゆるＷｅｂブラウザにも対応することを可能とし、複数のＷｅｂブラウザ間において、ブックマークおよび閲覧履歴の共有を可能として、どんなユーザに対しても応じることが可能になる。
【発明を実施するための最良の形態】
【００２７】ブックマークによるＷｅｂブラウジング支援として、ＷＷｅｂ用のシステムとして実施した。【００２８】Ｗｅｂブラウザのブックマークから自分の求める情報が存在するＷｅｂページを探す場合には、ブックマークに登録されているＷｅｂページの中からリスト表示によるユーザインターフェースで探し出さなければならず、Ｗｅｂページの内容がどんなものであったのか思い出すことが困難である場合がある。そのため、本発明では、請求項１に記載されているブックマークにあるＷｅｂページを３次元空間へ表示させることによって、ブックマークにあるＷｅｂページがどんなものであったのか簡単に思い出すことを可能とするシステムを構築した。【００２９】本発明は、Ｗｅｂページ自体を３次元空間内において確認することが可能であり、図１は実際に請求項２に記載のＢｏｏｋレイアウトを用いて３次元空間にＷｅｂページを配置したスクリーンショットを示している。図１のＷｅｂページ１０〜１５は請求項３によって取得されたＷｅｂページ自体の画像を表示している。図２は請求項２に記載のＣｉｒｃｌｅレイアウトを用いた３次元表示例であり、Ｗｅｂページ２１〜２８は請求項３により取得されるＷｅｂページ自体の画像である。図３は請求項２に記載のＤｉｃｅレイアウトを用いた３次元表示例であり、Ｗｅｂページ３１〜３３は請求項３により取得されるＷｅｂページ自体の画像を示している。【００３０】本実施形態における構成を図４に示す。図４においてユーザは計算機を所持しており、計算機の内部には、本発明とＷｅｂブラウザによるＷｅｂブラウジングを行う環境が整っている。【００３１】図５はユーザが操作している実行例を示しており、まず、ユーザは３次元空間に表示されているブックマーク中のＷｅｂページ５１〜５６から求めるＷｅｂページを選択し、対象とするＷｅｂページをダブルクリックするとＯＳでデフォルトとして設定されているＷｅｂブラウザ５０を起動させ、選択したＷｅｂページへアクセスを行い、表示する。【００３２】図６は請求項５に記載の３次元空間上のＷｅｂページ６１〜６６を透明にしてＷｅｂブラウザ６０を用いてＷｅｂブラウザングを行っている実行例を示している。図６のようにＷｅｂページを透明にすることによって、Ｗｅｂブラウザに対しての妨げになることを防ぐことができる。【００３３】まず、ユーザはＷｅｂブラウザング支援システムへブックマークの表示要求を行う。表示要求を受けたＷｅｂブラウジング支援システムは、データ取得モジュールを用いてＷｅｂブラウザからブックマークのデータを取得し、データベースに格納する。データベースにブックマークのデータがあると確認すると、Ｗｅｂページ変換モジュールを用いてデータベースにあるブックマークのＷｅｂページのタイトルとＵＲＬを抜き出し、抜き出したＷｅｂページの情報を基にして、ＷＷＷへＷｅｂページの取得要求をだし、Ｗｅｂページを取得した後、Ｗｅｂページ自体を画像へ変換して、データベースへ画像を格納する。【００３４】次にデータ取得モジュールにブックマークのデータとＷｅｂページ自体の画像をリスト表示モジュールに送り、リスト表示モジュールは受け取ったデータを基にして、構築した３次元空間上にＷｅｂページを配置し、ユーザへ提示を行う。リスト表示モジュールは、Ｗｅｂページ自体を表示する３次元空間をＯｐｅｎＧＬを用いて構築し、ブックマークのリストデータと、Ｗｅｂページの画像に基づいて３次元表示を行う。３次元表示を行う際にすべてのＷｅｂページにアルファ値を設定することによって上記のＷｅｂページの透明化を実現している。【００３５】データベースはＸＭＬ（ｅＸｔｅｎｓｉｂｌｅ  Ｍａｒｋｕｐ  Ｌａｎｇｕａｇｅ）で管理されており、データベースはブックマークにあるＷｅｂページのデータと、Ｗｅｂページ変換モジュールによって得られるＷｅｂページ自体の画像を保持している。【００３６】請求項６または７に記載の３次元閲覧履歴表示機能はＷｅｂブラウザの閲覧履歴情報を読み込み、ブックマーク同様に３次元空間にＷｅｂページを配置する。閲覧履歴は膨大な数になるたけ、本機能には、ソート機能によってユーザにとって分かりやすいインターフェースを実現し、ソートの基準としてＷｅｂ検索エンジンの検索結果、ドメイン名、時系列、及びタイトルがある。【００３７】請求項７に記載のＷｅｂ検索エンジンの検索結果によるソートとは、検索時のキーワードをタイトルとし、検索結果のページと、検索結果から直接閲覧したページを、１つのグループとして表示するものであり、すなわち、過去に検索エンジンを利用して、興味のあるＷｅｂページにたどり着いた履歴を順に閲覧することを可能とする。【００３８】ドメイン名によるソートは、閲覧履歴をドメイン名ごとに再構築して表示する。Ｗｅｂページはドメイン名の階層ごとに管理されているので、ドメイン名によるソートによって、Ｗｅｂサイト内のどこを閲覧したか容易に確認できる。時系列、及びタイトルによるソートは、既存のソート手法にあるように、新しい順、古い順、及びアルファベット順に並び替えるものである。また、閲覧履歴からブックマークへ、Ｗｅｂページを登録したい場合、閲覧履歴のページをドラッグ＆ドロップによりブックマークへ追加することが可能である。【００３９】請求項８に記載の３次元空間上へメモを貼付けるマーカーは、Ｗｅｂページの内容を詳細に把握する助けになることを可能としている。【００４０】請求項９に記載のブックマーク及び閲覧履歴の検索は、ブックマーク及び閲覧履歴の中から指定されたキーワードの検索を行う。検索時のオプションとして、小／大文字を無視する、折り返す、前を検索、ブックマークを検索、閲覧履歴を検索等、がある。検索手法は、与えられたキーワードとブックマーク若しくは、閲覧履歴にあるＷｅｂページを検索サイトに渡すことによって検索結果を得て、得た検索結果を３次元空間に表示する。【００４１】請求項１０に記載のリンク先を抽出し３次元空間上に抽出する機能は、Ｗｅｂページのソースコードから＜Ａ＞タグを解析し、＜Ａ＞タグで囲まれた部分からＷｅｂページにあるリンク先のＵＲＬを抽出し、抽出したＵＲＬのＷｅｂページにアクセスして、Ｗｅｂページ変換モジュール１１にＷｅｂページ自体の画像変換を要求する。画像をデータベースへ格納して、ユーザから先読みの要求を受けると、３次元空間に先読みしたＷｅｂページ自体の画像を表示する。【００４２】本発明は、請求項１１��記載、Ｗｅｂブラウザと独立しているため、Ｗｅｂブラウザに依存することなく使用することができ、システムに予め代表的なＷｅｂブラウザに対するラッパーを備えており、一方、システムに用意されていないＷｅｂブラウザと対応させるためには、Ｗｅｂブラウザに対するラッパーを本システムへ追加することで可能となる。複数のＷｅｂブラウザを扱う際、本発明により複数のＷｅｂブラウザ間のブックマークと閲覧履歴の共有が可能となる。
【産業上の利用可能性】
【００４３】Ｗｅｂアプリケーションと連携することにより、より良いＷｅｂアプリケーションを提供することが可能となる。ここでいうＷｅｂアプリケーションとは店舗選択支援、図書推薦、論文選択支援といったＷｅｂを利用した推薦システムのことを示し、これらの推薦システムは、推薦する情報があるＷｅｂページのリンクを示すが、リンク先のＷｅｂページがわからず、確認する毎にＷｅｂページへアクセスしなくてはならず、本発明と組み合わせることで、リンク先のＷｅｂページが確認でき、推薦された情報を比較・検討しながら調べることを可能とするシステムを提供することができる。
【図面の簡単な説明】
【００４４】
【図１】Ｂｏｏｋレイアウトによるブックマークの３次元表示例
【図２】Ｃｉｒｃｌｅレイアウトによるブックマークの３次元表示例
【図３】Ｄｉｃｅレイアウトによるブックマークの３次元表示例
【図４】本実施形態図
【図５】ユーザの操作例
【図６】Ｗｅｂページの透明化例
【符号の説明】
【００４５】  １０〜１５  Ｗｅｂページ自体の画像
２１〜２８  Ｗｅｂページ自体の画像
３１〜３３  Ｗｅｂページ自体の画像
５０  Ｗｅｂブラウザ
５１〜５６  Ｗｅｂページ自体の画像
６０  Ｗｅｂブラウザ
６１〜６６  Ｗｅｂページ自体の画像